(57)【要約】【課題】カメラコントローラ機能とビデオスイッチャ機能の切り替え操作を容易とすること。【解決手段】動作を制御可能なカメラから出力される映像信号又は、動作を制御できない装置から出力される映像信号が入力される入力部と、ビデオスイッチャ機能が割り振られる第１の操作部１４１を備える。また、カメラコントローラ機能が割り振られる第２の操作部１４２と、第１の機能モード又は第２の機能モードを切り替える第１のカメラモード切り替えボタン２１１ｃ及びスイッチャモード切り替えボタン２１１ｓを備える。また、第１の機能モードである場合に、映像信号に所定の処理を行い、第２の機能モードである場合に、カメラの動作を制御する第３の操作部１４３を備える。また、映像信号を、画像を表示する表示装置に出力し、カメラの動作を制御する制御信号をカメラに出力する出力部を備える。【選択図】図２
2010114523.tif 000002
【特許請求の範囲】
【請求項１】
動作を制御可能なカメラから出力される映像信号又は、動作を制御できない装置から出力される映像信号が入力される入力部と、
複数の前記映像信号のオンエア順を設定するビデオスイッチャ機能が割り振られる第１の操作部と、
前記カメラの動作を制御するカメラコントローラ機能が割り振られる第２の操作部と、
前記ビデオスイッチャ機能が割り振られる第１の機能モード又は前記カメラコントローラ機能が割り振られる第２の機能モードを切り替える機能モード切り替え部と、
前記第１の機能モードである場合に、前記映像信号に所定の処理を行い、前記第２の機能モードである場合に、前記カメラの動作を制御する第３の操作部と、
前記映像信号を、画像を表示する表示装置に出力し、前記カメラの動作を制御する制御信号を前記カメラに出力する出力部と、を備える
映像信号処理装置。
【請求項２】
請求項１記載の映像信号処理装置において、
前記第３の操作部は、各々に番号が振られる複数の操作ボタンを備え、
前記第１の機能モードである場合に前記操作ボタンに割り振られた番号に対応する映像信号を前記出力部から出力し、前記第２の機能モードである場合に前記操作ボタンに割り振られた番号に対応する前記カメラから入力される映像信号を前記出力部から出力する
映像信号処理装置。
【請求項３】
請求項２記載の映像信号処理装置において、
前記第１乃至第３の操作部及び複数個の前記機能モード切り替え部が設置される操作パネルを備える
映像信号処理装置。
【請求項４】
請求項２に記載の映像信号処理装置において、
前記第３の操作部は、パン、チルト又はズームのいずれかの動作を前記カメラに指示するジョイスティックを備え、
前記ジョイスティックの芯軸の中心に対して３０ｍｍ乃至１００ｍｍの範囲内に前記機能モード切り替え部が配置される
映像信号処理装置。
【請求項５】
請求項１記載の映像信号処理装置において、
前記第１の操作部は、
前記複数の映像信号のうち、オンエアされる第１の映像信号の出力を選択する第１の映像選択部と、
前記第１の映像信号の次にオンエアされる第２の映像信号の出力を選択する第２の映像選択部と、を備える
映像信号処理装置。
【請求項６】
請求項１記載の映像信号処理装置において、
現在の機能モードが、前記第１の機能モード又は第２の機能モードであることを表示する表示部を備える
映像信号処理装置。
【発明の詳細な説明】
【技術分野】
【０００１】
本発明は、例えば、映像信号の出力順を切り替えながら、カメラを操作する場合に適用して好適な映像信号処理装置に関する。
【背景技術】
【０００２】
従来、カメラによって撮影中のライブ映像を中継したり、カメラで撮影された映像を用いてコンテンツの制作を行ったりするための機器として、ビデオスイッチャが知られている。ビデオスイッチャは、複数のチャンネルの映像信号を入力し、それらの映像信号を切り換えて映像出力先のプロジェクタ等に出力したり、映像切り換え時に映像にワイプ等のエフェクトを付加したりする装置である。
【０００３】
ビデオスイッチャを使用することにより、現在オンエア映像として出力されている映像（ＰＧＭ出力映像）と、次にオンエア映像として出力される予定の映像（ＮＥＸＴ出力映像；プレビュー出力映像とも称される。）との切り換えも容易に行うことができる。
【０００４】
また、ビデオスイッチャは、映像切り替えの前に、ＰＧＭ出力映像とＮＥＸＴ出力映像の両方をユーザが同時に確認できるように、これらの映像を映像出力先の表示装置等の画面上にマルチビュア表示させることもできる。マルチビュア表示とは、複数に分割された画面上の各領域に、それぞれ異なる映像信号による映像を表示する表示形態を指す。このような表示が行われることで、ユーザはオンエア映像として出力中のＰＧＭ出力映像を確認しながら、次にオンエアするＮＥＸＴ出力映像の位置合わせなどの調整を行うことができる。
【０００５】
上述したようなライブ映像の撮影に複数台のカメラを用いる場合には、ビデオスイッチャに加えて、複数のカメラの動作を制御するカメラコントローラが使用されることが多い。カメラコントローラとは、ケーブル等で接続されたカメラのアイリスやフォーカス、ズーム等のコントロールを、遠隔操作により行える装置である。
【０００６】
特許文献１には、カメラコントロールユニットとビデオスイッチャを用いて、ビデオカメラの動作を制御しながら映像処理を行う技術が開示されている。
【特許文献１】特開平１０−１５０５８５号公報
【発明の開示】
【発明が解決しようとする課題】
【０００７】
ところで、カメラコントローラを用いてカメラを操作する場合、制御対象となるカメラが撮影した映像を表示装置に映し出す必要がある。また、制御対象とするカメラを切り替える際には、必要なタイミングですぐにカメラの切り替える必要がある。このため、従来は、別々のビデオスイッチャ機器とカメラ操作用リモートコントローラを併用しており、各機器を操作するオペレータが必要であった。また、必要に応じてビデオスイッチャ機器、及びカメラコントロール機器間のインタフェース端子を接続する必要があったため、設定作業に時間がかかっていた。
【０００８】
近年、同一の操作パネル上でカメラコントロールが可能なビデオスイッチャが提供されつつある。しかしながら、操作パネルに配置された多数のボタンに複数の機能が割り付けられていると、どのボタンにどの機能が割り付けられているか分かりにくく、ユーザが速やかに目的の操作を行うことが困難であった。また、操作ボタンが多くなるとビデオスイッチャの横幅が数十ｃｍ以上の大きさとなるため、ユーザが片手で操作する場合に不便であった。
【０００９】
また、従来のビデオスイッチャは、カメラコントロール機能とビデオスイッチャ機能が別に動作していた。このため、例えば、カメラコントロール機能をいったん止めた上で、ビデオスイッチャ機能に切り替えなければビデオスイッチャとして操作できなかった。このように、単にビデオスイッチャ機器とカメラ操作用リモートコントローラを一体化しても、配線が複雑になったり、詳細な設定が必要となったりして不便であった。
【００１０】
本発明はかかる点に鑑みてなされたものであり、カメラコントローラ機能とビデオスイッチャ機能の切り替え操作を容易とすることを目的とする。
【課題を解決するための手段】
【００１１】
本発明は、動作を制御可能なカメラから出力される映像信号又は、動作を制御できない装置から出力される映像信号が入力される入力部と、複数の映像信号のオンエア順を設定するビデオスイッチャ機能が割り振られる第１の操作部を備える。
また、カメラの動作を制御するカメラコントローラ機能が割り振られる第２の操作部と、ビデオスイッチャ機能が割り振られる第１の機能モード又はカメラコントローラ機能が割り振られる第２の機能モードを切り替える機能モード切り替え部を備える。
また、第１の機能モードである場合に、映像信号に所定の処理を行い、第２の機能モードである場合に、カメラの動作を制御する第３の操作部を備える。
また、映像信号を、画像を表示する表示装置に出力し、カメラの動作を制御する制御信号をカメラに出力する出力部を備える。
【００１２】
このようにしたことで、ビデオスイッチャ機能とカメラコントローラ機能を任意に切り替えて操作することができる。
【発明の効果】
【００１３】
本発明によると、ビデオスイッチャ機能とカメラコントローラ機能を任意に切り替えて操作できるため、ユーザの操作性が向上するという効果がある。
【発明を実施するための最良の形態】
【００１４】
以下、発明を実施するための最良の形態（以下実施の形態とする。）について添付図面を参照して説明する。なお、説明は以下の順序で行う。
１．一実施の形態（カメラコントローラとビデオスイッチャ機能を備える信号処理装置の構成例）
２．変形例
【００１５】
＜１．一実施の形態＞
［システムの構成例］
図１は、本実施の形態によるシステムの構成例を示した図である。図１に示したシステムは、ビデオスイッチャ機能とカメラコントロール機能を備えたメインユニット１１０を備える。映像信号処理装置１００は、メインユニット１１０と操作入力部１２０とで構成される。なお、本実施の形態ではメインユニット１１０と操作入力部１２０とを別々に構成した場合を例に挙げたが、これらを一体化した構成に適用してもよい。
【００１６】
映像信号処理装置１００は持ち運び可能な形態としてあり、例えば大講堂や大会議室、ライブ会場などで開催されるイベントの中継や、イベントの様子を紹介する映像コンテンツの制作に使用される。
【００１７】
図１に示すメインユニット１１０には、映像入力元として、カメラＣ１〜カメラＣ４の４台のカメラと、パーソナルコンピュータ（以下、ＰＣと称する）Ｐ１が接続されている。
【００１８】
カメラＣ１〜カメラＣ４は、メインユニット１１０のＳＤＩ（Serial Digital Interface）入力端子（図示略）等に接続してあり、カメラＣ１〜カメラＣ４で撮影された各映像は、各入力端子を通してメインユニット１１０に入力される。カメラＣ１〜カメラＣ４における撮像動作は、メインユニット１１０から供給される同期信号に同期して行われる。
【００１９】
カメラＣ１〜カメラＣ３は、例えばＶＩＳＣＡ（登録商標）プロトコルのシリアルインタフェースを備えており、メインユニット１１０とは、制御信号伝送用のシリアルケーブル（図示略）によっても接続されている。つまりメインユニット１１０は、カメラＣ１〜カメラＣ３に制御信号（カメラ制御コマンド）を供給することによって、カメラＣ１〜カメラＣ３を制御することができる。また、ＡＣＫメッセージ等のカメラＣ１〜カメラＣ３からの応答も、シリアルケーブルを通してメインユニット１１０に送信される。
【００２０】
カメラＣ４は、例えばＤＶＩ（Digital Visual Interface）ケーブル等によってメインユニット１１０に接続されており、カメラＣ４によって撮影された映像は、ＤＶＩ入力端子（図示略）を通してメインユニット１１０に伝送される。カメラＣ４には、メインユニット１１０からの制御信号が入力される端子が存在しないため、メインユニット１１０による制御ができないカメラとなる。
【００２１】
ＰＣＰ１は、メインユニット１１０のＤＶＩ入力端子又はＲＧＢ入力端子（図示略）等に接続されており、図示せぬＨＤＤ（Hard Disk Drive）等に記録された静止画像や動画像などを、メインユニット１１０に入力する。
【００２２】
メインユニット１１０は、前述したようにビデオスイッチャ機能とカメラコントロールの両方の機能を備えたものであり、ビデオスイッチャ機能が割り振られるビデオスイッチャ機能モードのときには、ＰＧＭ出力映像とＮＥＸＴ出力映像の切り替え等を行う。カメラコントローラ機能が割り振られるカメラコントローラモードのときには、制御対象カメラに対する制御を行う。メインユニット１１０の構成の詳細については、後述する。
【００２３】
メインユニット１１０の映像出力先としては、例えばＦＰＤ（Flat Panel Display）等よりなる表示装置３００と、プロジェクタ４００と、ＨＤＤ等よりなる記録装置５００が接続されている。図１に示した例では、プロジェクタ４００は、メインユニット１１０のＰＧＭ出力端子２ｐ−１に接続してあり、プロジェクタ４００にはＰＧＭ出力映像が出力される。表示装置３００は、メインユニット１１０のＡＵＸ出力端子２ａに接続してあり、表示装置３００には、マルチビュワ表示させる映像（以下、マルチビュワ映像と称する）等が出力される。記録装置５００は、メインユニット１１０のＰＧＭ出力端子２ｐ−２に接続してあり、メインユニット１１０から出力される映像信号を記録映像として記録する。
【００２４】
メインユニット１１０に接続された操作入力部１２０は、ユーザによる操作内容に応じた操作信号を、メインユニット１１０内の後述する制御部に送信する。メインユニット１１０から出力する映像の切り替え指示等は、操作入力部１２０を介して行えるようにしてある。
【００２５】
次に、図２を参照して、操作入力部１２０の構成例について説明する。図２に示す操作入力部１２０には、様々なボタンより構成される操作ボタン部２１０と、４つのツマミよりなるツマミ部２２０と、表示部２３０が配置されている。
【００２６】
操作ボタン部２１０には、機能選択部としての第１のカメラモード切り替えボタン２１１ｃ及びスイッチャモード切り替えボタン２１１ｓと、ＡＵＸ出力選択／カメラ選択ボタン２１２と、ＰＧＭ選択ボタン２１３ｐと、ＮＥＸＴ選択ボタン２１３ｎとが含まれる。
【００２７】
第１のカメラモード切り替えボタン２１１ｃは、メインユニット１１０内のモード設定を、ビデオスイッチャ機能モードからカメラコントローラモードに切り換えるためのボタンである。スイッチャモード切り替えボタン２１１ｓは、カメラコントローラモードからビデオスイッチャ機能モードに切り換えるためのボタンである。なお、実際のモードの切り替えは、これらのボタンの押下操作に基づく、後述する制御部６０によって制御される。
【００２８】
また、本実施の形態では、第２のカメラモード切り替えボタン２１４ｃを、ジョイスティック２４０の左下方にも配置してある。第１のカメラモード切り替えボタン２１１ｃと第２のカメラモード切り替えボタン２１４ｃの機能はまったく同じである。以下、第１のカメラモード切り替えボタン２１１ｃ、第２のカメラモード切り替えボタン２１４ｃ及びスイッチャモード切り替えボタン２１１ｓを「切り替えボタン」とも総称する。
【００２９】
どちらの機能モードに切り替えられているかは切り替えボタンに内蔵されるランプ（例えば、ＬＥＤを用いる。）に表示される。このため、ユーザは現在の機能モードがビデオスイッチャ機能モード又はカメラコントローラモードのどちらであるかを速やかに把握できる。ジョイスティック２４０は、ビデオスイッチャ機能モードの場合、ＰｉｎＰ（Picture in Picture）における主画像に対する従画像の位置決めに用いる。一方、カメラコントローラモードの場合、選択した一のカメラのコントロール（パン／チルト／ズーム）に用いる。このとき、ジョイスティック２４０は、カメラに対してパン又はチルトを指示する第１の操作信号を変位量に応じて出力する。
【００３０】
そして、操作パネル１３０に向かって、第１のカメラモード切り替えボタン２１１ｃを左側に配置し、第２のカメラモード切り替えボタン２１４ｃを右側に配置する。これにより、ユーザは左右どちらの手を用いても最短でカメラコントローラモードへの切り替え操作が行える。また、第１のカメラモード切り替えボタン２１１ｃと第２のカメラモード切り替えボタン２１４ｃを、操作パネル１３０を操作するユーザの両手のセンターポジションの近い位置に配置する。これにより、ユーザは、両手で操作パネル１３０を操作できるため、操作性が向上するという効果がある。
【００３１】
ここで、カメラコントローラモードにおいてジョイスティック２４０の機能を、カメラのパン／チルト／ズームの駆動操作に割り当てる場合を想定する。この場合、ユーザは、ジョイスティック２４０を持ちながら第２のカメラモード切り替えボタン２１４ｃの押下操作を行うことが予想される。このため、ジョイスティック２４０の芯軸の中心に対して３０ｍｍ〜１００ｍｍの範囲内に第２のカメラモード切り替えボタン２１４ｃを配置する。このように、第２のカメラモード切り替えボタン２１４ｃを配置することによって、ユーザの操作性が向上する。ジョイスティック２４０に対する第２のカメラモード切り替えボタン２１４ｃの位置をこの範囲内としたのは、第２のカメラモード切り替えボタン２１４ｃの位置がジョイスティック２４０に近すぎると誤操作の原因となるためである。
【００３２】
ＡＵＸ出力選択／カメラ選択ボタン２１２は、ビデオスイッチャ機能モードのときにはＡＵＸ出力選択ボタンとして機能し、カメラコントローラモードのときにはカメラ選択ボタンとして機能するボタンである。各々のＡＵＸ出力選択／カメラ選択ボタン２１２には１〜１２までの論理番号が割り振ってある。ビデオスイッチャ機能モード選択時には１〜１２までのボタンが有効になり、カメラコントローラモードの選択時には、１〜７のみが有効となる。ビデオスイッチャ機能モードである場合にＡＵＸ出力選択／カメラ選択ボタン２１２に割り振られた番号に対応する映像信号をＡＵＸ出力端子から出力する。一方、カメラコントローラ機能モードである場合にＡＵＸ出力選択／カメラ選択ボタン２１２に割り振られた番号に対応するカメラから入力される映像信号をＡＵＸ出力端子２ａから出力する。ただし、カメラコントローラ機能モードが選択されている場合であっても、ＡＵＸ出力の連動又は非連動を設定によって選択することが可能である。この設定は、不図示のメニュー機構によって、ユーザが予め入力することによって行われる。
【００３３】
ＡＵＸ出力選択ボタンとしての機能時には、いずれかのボタンが押下されることにより、ボタンに割り振られた論理番号と予め対応付けられた入力ポートから入力される映像信号が、ＡＵＸ出力端子２ａに出力される。図１に示した例ではＡＵＸ出力端子２ａには表示装置３００が接続されているため、論理番号と対応付けられた入力ポートから入力された映像は、表示装置３００の画面上に映像として表示される。
【００３４】
カメラ選択ボタンとしての機能時には、ボタンの押下により選択された論理番号と予め対応付けられた制御対象カメラからの入力映像が、ＡＵＸ出力端子２ａより出力される。そして、ＡＵＸ出力端子２ａを通して出力された制御対象カメラによる撮影映像が、表示装置３００の画面上に表示される。ＡＵＸ出力端子２ａは、後述する第１の操作部１４１及び第３の操作部１４３によって所定の処理が施された映像信号を、表示装置３００に出力する。そして、制御対象となるカメラＣ１〜Ｃ３は、ジョイスティック２４０等により操作することが可能である。
【００３５】
ＰＧＭ選択ボタン２１３ｐは、メインユニット１１０に接続されているカメラＣ１〜カメラＣ４やＰＣＰ１等の機器から入力される映像信号のうち、どの入力映像信号をＰＧＭ出力として選択するかを決定するためのボタンである。ＮＥＸＴ選択ボタン２１３ｎは、メインユニット１１０に入力される映像信号のうち、どの映像信号をＮＥＸＴ出力として選択するかを決定するためのボタンである。
【００３６】
ＰＧＭ選択ボタン２１３ｐと、ＮＥＸＴ選択ボタン２１３ｎにも、ＡＵＸ出力選択／カメラ選択ボタン２１２と共通する１〜１２の論理番号を割り振ってある。例えばＰＧＭ選択ボタン２１３ｐのうちいずれかのボタンが押下された場合には、ボタンの押下により選択された論理番号と予め対応付けられた入力ポートから入力される映像信号が、ＰＧＭ出力として選択されるようになる。なお、ＰＧＭ選択ボタン２１３ｐと、ＮＥＸＴ選択ボタン２１３ｎは、ビデオスイッチャ機能モードとカメラコントローラモードのいずれが選択されている場合にも、ビデオスイッチャとして機能するようにしてある。このように複数の映像信号のオンエア順を設定するビデオスイッチャ機能が割り振られる第１の操作部１４１とする。本例では、入力される複数の映像信号のうち、オンエアされる第１の映像信号の出力を選択するＰＧＭ選択ボタン２１３ｐと、第１の映像信号の次にオンエアされる第２の映像信号の出力を選択するＮＥＸＴ選択ボタン２１３ｎが第１の操作部１４１に含まれる。また、カメラの動作を制御するカメラコントローラ機能が割り振られる第２の操作部１４２は、カメラに操作のためのカメラメニューを表示させたり、カメラの初期設定を行ったりする。
【００３７】
また、論理番号には、マルチビュア表示画面上での映像の各表示位置も対応付けてある。このような対応付けを行っておくことで、ＰＧＭ選択ボタン２１３ｐ又はＮＥＸＴ選択ボタン２１３ｎにおける１〜１２番の論理番号と、カメラ番号と、マルチビュア表示画面上の表示位置とがすべて１対１で紐付けられる。これらの対応付けは、予めユーザによって行われる。
【００３８】
ツマミ部２２０は、ツマミ部２２０−１〜ツマミ部２２０−４の４つのツマミで構成される。カメラコントローラモードが選択されている場合には、ツマミ部２２０−１は、制御対象カメラのフォーカスを調整するツマミとして機能する。ツマミ部２２０−２はブライトネスを調整するツマミ部２２０として機能し、ツマミ部２２０−３はズームを調整するツマミとして機能し、ツマミ部２２０−４はパン及びチルトを調整するツマミ部２２０として機能する。
【００３９】
ビデオスイッチャ機能モードが選択されている場合には、ツマミ部２２０−１〜ツマミ部２２０−４は、ファンクションＦ１〜ファンクションＦ４に割り当てられた各機能を調整するためのツマミとして機能する。そして、操作入力部１２０は、ビデオスイッチャ機能モードである場合に、映像信号に所定の処理を行い、カメラコントローラ機能モードである場合に、カメラＣ１〜Ｃ３の動作を制御する第３の操作部１４３を備える。第３の操作部は、各々に番号が振られる複数の操作ボタンを備える。第３の操作部１４３には、ＡＵＸ出力選択／カメラ選択ボタン２１２、ツマミ部２２０、ジョイスティック２４０が含まれる。このように操作パネル１３０には、第１の操作部１４１〜第３の操作部１４３と、複数個の切り替えボタンが配置される。
【００４０】
表示部２３０は、ＶＦＤ（蛍光表示管）等よりなり、映像切り換え時に加えるエフェクトの設定内容や、制御対象カメラの設定メニュー等の項目を表示する。
【００４１】
ジョイスティック２４０は、Ｘ軸方向とＹ軸方向とＺ軸方向に回動自在に支持されたレバー２４１と、レバー２４１の上部に設けられたノブ２４２とで構成される（後述する図３参照）。カメラコントローラモードが選択されている場合には、レバー２４１の傾斜角度又はノブ２４２の回転角度を操作することによって、接続先のカメラのパン／チルト／ズームの制御量を指定することができる。ビデオスイッチャ機能モードが選択されている場合には、レバー２４１の傾斜操作によって、ＰＧＭ出力映像中にＰｉｎＰとして挿入する画面の位置を決定することができる。
【００４２】
トランジションレバー２５０は、上下方向に可動する操作子であり、上下方向の移動量に応じた量で、１つの映像から別の映像への切り替えを連続的に変化させる。トランジションレバー２５０も、ビデオスイッチャ機能モードとカメラコントローラモードのいずれが選択されている場合にも、同様の動作（ビデオスイッチャとしての動作）をするようにしてある。
【００４３】
このように、操作パネル１３０に配置された切り替えボタンを操作することによって、適切に機能モードを切り替えられる。本実施の形態では、トランジションレバー２５０、映像信号の入力クロスポイント部２０及び出力クロスポイント部４０を、常時、動作可能な状態とする。これにより、カメラコントロールを行っているときでもビデオスイッチャが可能となる。一方、トランジションレバー２５０、第１のカメラモード切り替えボタン２１１ｃ及びスイッチャモード切り替えボタン２１１ｓは常時その機能のみしか割り当てない。このため、たとえ映像信号処理装置１００がカメラコントローラモードになっていてもメイン出力の映像を切り替えることができる。
【００４４】
そして、第３の操作部１４３にはカメラコントローラモードとビデオスイッチャ機能モードにおいて、別の機能を割り付ける。例えば、ＡＵＸ出力選択／カメラ選択ボタン２１２やジョイスティック２４０には切り替えられた機能モードに応じた複数の機能が割り付けられる。これによりスイッチ、ボタン等の数を減らすことが出来、操作パネル１３０の面積を縮小でき、ユーザはカメラコントロールを行いながら、映像の切り替えを行うことが可能になる。また、映像信号処理装置１００と操作入力部１２０の製造コストを抑えることができる。
【００４５】
第１のカメラモード切り替えボタン２１１ｃが操作されると映像出力も連動して切り替わる。このとき、カメラコントロールを行いたいカメラを指示すると予めひも付けされたカメラから入力される映像信号がＡＵＸ出力から出力される。また、第１のカメラモード切り替えボタン２１１ｃに対応する映像出力を連動して切り替える動作の有効又は無効を、表示部２３０に表示されるメニューで選択することもできる。
【００４６】
本例の映像信号処理装置１００では、予めカメラ番号（カメラＩＤ）と入力ソース番号（端子）が対応づけられている。本機器側でカメラコントロールしたい映像が入力されている入力ソース番号を選択するとＡＵＸ出力からコントロールしたいカメラから生成される映像信号を出力できる。このため、コントロールしたいカメラを選択するとそのカメラから出力されている映像信号を表示装置３００に表示することができる。例えば、ユーザが「カメラＣ３を操作したい」と希望し、カメラＣ３に対応したＡＵＸ出力選択／カメラ選択ボタン２１２の「３」を押すと、カメラＣ３が出力する映像が表示装置３００に表示される。このように、ユーザにとってＡＵＸ出力選択／カメラ選択ボタン２１２を押すと対応する映像出力が簡単に得られるので利便性が増す。
【００４７】
このように、操作入力部１２０は、一つの操作パネル１３０に配された操作ボタン等によって、ビデオスイッチャ機能とカメラコントロール機能の両方を制御する。そして、従来のビデオスイッチャではＰｉｎＰ（Picture in Picture）の位置決めに使用されていたジョイスティック２４０を、カメラ制御（パン／チルト／ズーム）にも使用している。また、映像信号処理装置１００は、ＰＴＺ（パン／チルト／ズーム）機能が搭載されている、コントロール可能な複数台のカメラから任意に選択した一のカメラを操作できる。また、選択されていないカメラについては、カメラコントロールができないように操作がロックされる。この場合、カメラを制御するための制御コマンドを選択されていないカメラに対して送受信することはできない。ただし、映像信号処理装置１００を用いた操作がロックされるのであり、不図示のリモートコントロール装置等を用いて選択されていないカメラを操作することは可能である。
【００４８】
第１のカメラモード切り替えボタン２１１ｃが押下されるとカメラコントローラモードに遷移する。そして、ユーザが一のキーを操作すると、選択したカメラＣ１〜Ｃ３のいずれかに対して、操作されたキーに対応した制御コマンドが発行される。具体的には、制御コマンドがＲＳ−２３２ＣまたはＲＳ−４２２を介してカメラＣ１〜Ｃ３に送受信される。なお、映像信号処理装置１００にネットワーク端子等を取付けることによって、上記の制御コマンドを送る通信プロトコルとは別の通信プロトコルを用いてカメラＣ１〜Ｃ３を操作することもできる。
【００４９】
また、従来であれば、ビデオスイッチャ機能とカメラコントロール機能を一体化する際に、機能切り替えを併用することによって、ボタンの数をなるべく少なくしていた。しかし、切り替えられた機能モードに関わらず操作可能なボタンに、ビデオスイッチャ機能の一部を割り付ける。これにより、操作パネル１３０には、操作ボタンが増えるものの、カメラコントロールを行いながら、出力する映像を切り替えることが可能となる。例えば、カメラコントローラモードにおいても、ＰＧＭ選択ボタン２１３ｐと、ＮＥＸＴ選択ボタン２１３ｎはビデオスイッチャ機能に割り振られる。このため、カメラＣ１〜Ｃ３を操作しながら、同時にビデオスイッチを行うことができる。このため、カメラの操作を行いながら映像出力の切り替え操作を行うことが可能となる。
【００５０】
また、ジョイスティック２４０は、ＰｉｎＰの位置決めに使用されるよりもカメラコントロール機能に於いてパン／チルト／ズームの駆動操作に使用される場合がよくある。このため、ジョイスティック２４０付近には、カメラコントローラモードに切り替えやすくするため第２のカメラモード切り替えボタン２１４ｃのみ配置すればよい。
【００５１】
次に、図３を参照して、ジョイスティック２４０の外部構成例について説明する。
操作パネル１３０に平行なｘｙ平面を仮定した場合、ジョイスティック２４０は、ｘｙ平面に対して所定の角度で傾けることで任意の方向に移動等の指示を与えるレバー２４１と、回転することでカメラＣ１〜Ｃ３のズーム等の制御を行えるノブ２４２を備える。また、ジョイスティック２４０は、レバー２４１と操作パネル１３０を接続し、レバー２４１の支点となる支点部２４３を備える。ノブ２４２は、回転角に応じた制御信号を発し、制御部６０は制御信号を読み取ることによって選択されたカメラのズーム制御を行う。回転角の方向とズーム方向の対応関係は、予めユーザが不図示の設定メニューを操作することによって設定できる。
【００５２】
ノブ２４２は、レバー２４１の中心から見てｙ方向に±３０度の範囲内で回転可能であり、ノブ２４２の回転角はカメラ制御の機能の一つであるズーム機能に割り付けられる。例えば、ノブ２４２を時計回りに回転させると、カメラのズームを望遠方向に変えられる。一方、ノブ２４２を反時計回りに回転させると、カメラのズームを広角方向に変えられる。ただし、ノブ２４２の回転方向とズーム方向の割り付けは逆にしてもよく、ユーザが任意に設定できる。
【００５３】
レバー２４１が傾けられる方向は、ｘ方向がパン方向、ｙ方向がチルト方向に割り付けられる。パン、チルト方向の定義についても、ズーム方向と同様にユーザの好みに応じて任意に割り付けられる。
【００５４】
次に、図４を参照して、メインユニット１１０の内部構成例について説明する。図４において、図１や図２と対応する箇所には同一の符号を付してある。メインユニット１１０は、入力部として、ＳＤＩインタフェース（以下Ｉ／Ｆと称する）部１０−１〜ＳＤＩ Ｉ／Ｆ部１０−４と、オプションカードＩ／Ｆ部１５とを備える。ＳＤＩ Ｉ／Ｆ部１０−１〜ＳＤＩ Ｉ／Ｆ部１０−４は、ＨＤ−ＳＤＩ又はＳＤ−ＳＤＩ信号が入力される４つのＳＤＩ入力端子１ｓ−１〜ＳＤＩ入力端子１ｓ−４を備えたインタフェースである。図１に示した構成によれば、ＳＤＩ Ｉ／Ｆ部１０−１〜ＳＤＩ Ｉ／Ｆ部１０−４には、カメラＣ１〜カメラＣ４から出力される映像信号が入力される。ＳＤＩ入力端子１ｓ−１〜ＳＤＩ入力端子１ｓ−３には、動作を制御可能なカメラから出力される映像信号が入力される。ＳＤＩ入力端子１ｓ−４には、動作を制御できない装置から出力される映像信号が入力される。
【００５５】
ＳＤＩ Ｉ／Ｆ部１０−１〜ＳＤＩ Ｉ／Ｆ部１０−４は、それぞれイコライザ（ＥＱ）１１と、シリアル・パラレル変換器（Ｓ／Ｐ）１２と、フレームシンクロナイザ（ＦＳ）１３と、アンプ（ＡＭＰ）１４とを備える。
【００５６】
イコライザ１１は、入力されたＨＤ／ＳＤ−ＳＤＩ信号の波形整形を行い、波形整形後の信号をシリアル・パラレル変換器１２に供給する。シリアル・パラレル変換器１２は、イコライザ１１から供給されたＨＤ／ＳＤ−ＳＤＩのシリアル信号を、パラレル信号に変換してフレームシンクロナイザ１３に出力する。フレームシンクロナイザ１３は、入力されたパラレルの映像信号を、メインユニット１１０内の基準同期信号に同期させてアンプ１４に供給する。アンプ１４は、入力された映像信号を適切な大きさに増幅して、入力選択部としての入力クロスポイント部２０に供給する。
【００５７】
オプションカードＩ／Ｆ部１５は、オプションカードが挿入されるＩ／Ｆである。オプションカードとは、工場出荷時には装着されていないカードであり、標準装備されていない機能を追加装備するためのカードである。オプションカードとしては、アナログ映像信号入力端子を備えたカードや、ＤＶＩ入力端子を備えたカード、ＨＤ／ＳＤ−ＳＤＩ入力端子を備えたカード等の様々なカードが用意されている。本実施の形態によるメインユニット１１０では、オプションカードＩ／Ｆ部１５に、これらのカードのうち任意の２枚までのカードを接続することができるようにしてある。このため、オプションカード上には複数の映像信号端子が複数存在することになるが、図１においては、説明を簡単にするため、これらの端子を入力映像端子１ｏとして示している。
【００５８】
図１に示した構成によれば、オプションカードＩ／Ｆ部１５には、オプションカードＩ／Ｆ部１５に挿入されたオプションカードの端子に接続された、ＰＣＰ１からの映像信号が入力される。オプションカードＩ／Ｆ部１５では、装着されたカードの種類に応じた処理を行って、処理後の映像信号を入力クロスポイント部２０に出力する。なお、入力される信号の種類は上述したものに限定されるものではなく、他の種類の入力端子を備えたカードが装着される構成としてもよい。
【００５９】
入力クロスポイント部２０は、ＳＤＩ Ｉ／Ｆ部１０−１〜ＳＤＩ Ｉ／Ｆ部１０−４やオプションカードＩ／Ｆ部１５から供給される複数の映像信号の中から、操作入力部１２０での入力映像選択操作によって選択された映像信号のみを選択して出力する。例えば、操作入力部１２０のＰＧＭ選択ボタン２１３ｐの中から１番のボタンが押下された場合には、入力クロスポイント部２０によって、論理番号１番に対応付けられた入力ポートから入力される映像信号がＰＧＭ出力として選択される。つまり入力クロスポイント部２０は、入力映像を、ＮＥＸＴ出力やＡＵＸ出力、ＰｉｎＰ出力、マルチビュワ出力等に対応付けて出力する。
【００６０】
入力クロスポイント部２０で選択された映像信号のうち、エフェクトの追加等の映像への加工が必要とされる映像信号は、画面生成処理部としてのスイッチャ・エフェクト部３０に供給される。スイッチャ・エフェクト部３０は、入力映像の切り替えや映像信号へのエフェクト等の追加を行う。
【００６１】
またスイッチャ・エフェクト部３０は、ＰｉｎＰ画像表示用の枠やマルチビュワ表示用の枠を生成する処理も行う。マルチビュワ表示用の枠を作成する場合は、ＰＧＭ出力映像表示用の枠と、ＮＥＸＴ出力映像用の枠と、制御対象カメラによる撮影映像表示用の枠は、それぞれ異なる色で生成するようにしてある。スイッチャ・エフェクト部３０での処理は、操作入力部１２０での入力映像選択操作に基づき後述する制御部６０で生成される制御信号に基づいて制御される。
【００６２】
スイッチャ・エフェクト部３０でエフェクト等の処理が施された、ＰＧＭ出力として選択された映像信号は、後段のパラレル・シリアル変換器５１ｐに供給される。パラレル・シリアル変換器５１ｐでは、映像信号がシリアルの映像信号に変換されてバッファ５２ｐに出力される。バッファ５２ｐに入力された映像信号は、出力に適した信号に変換された後にＰＧＭ出力として出力される。
【００６３】
また、スイッチャ・エフェクト部３０でエフェクト等の処理が施された映像信号は、スイッチャ・エフェクト部３０で生成された枠情報等とともに、出力クロスポイント部４０に供給される。出力クロスポイント部４０には、入力クロスポイント部２０で、エフェクト等の効果の付加が不要な映像信号として選択された映像信号も供給される。
【００６４】
出力クロスポイント部４０は、入力クロスポイント部２０から供給される映像信号やスイッチャ・エフェクト部３０から供給される映像信号を、出力部としてのＡＵＸ出力端子２ａとＤＶＩ出力端子２ｄのどちらに出力するかを選択する。ＡＵＸ出力端子２ａに出力するかＤＶＩ出力端子２ｄに出力するかは、操作入力部１２０での入力映像選択操作に基づき制御部６０で生成される制御信号に基づいて決定される。
【００６５】
出力クロスポイント部４０で、ＡＵＸ出力端子２ａに出力する映像信号として選択された映像信号は、後段のパラレル・シリアル変換器５１ａに供給されて、シリアルの映像信号に変換される。そして、シリアルに変換された映像信号はバッファ５２ａに供給されて、出力に適した信号に変換された後に、ＡＵＸ出力としてＡＵＸ出力端子２ａに出力される。なお、本実施の形態ではＡＵＸ出力端子を１個のみ設けた構成としてあるが、複数個設けるように構成してもよい。
【００６６】
ＤＶＩ出力端子２ｄに出力する映像信号として選択された映像信号は、Ｉ／Ｐ（インターレース／プログレッシブ）変換・リサイズ処理部５１ｄに供給され、必要に応じて、インターレース又はプログレッシブの映像信号への変換と、画面サイズの変更が行われる。これらの調整が行われた映像信号は、バッファ５２ｄに出力され、出力に適した信号に変換された後に、ＤＶＩ出力としてＤＶＩ出力端子２ｄに出力される。
【００６７】
制御部６０は、ＣＰＵ（Central Processing Unit）等よりなり、操作入力部１２０から入力される各種情報に基づいて、装置内の各部を制御するための制御信号や、制御対象カメラを制御するためのカメラ制御コマンドを生成する。
【００６８】
制御部６０には、位置情報生成部６１と、制御信号生成部６２と、シリアルＩ／Ｆ部６３とが含まれる。また、制御部６０には、ＥＥＰＲＯＭ（Electrically Erasable Programmable Read Only Memory）等で構成されるメモリ７０が接続されている。
【００６９】
制御部６０の位置情報生成部６１には、操作入力部１２０のジョイスティック２４０から入力される操作角度情報や、操作入力部１２０を構成する各操作ボタンのオン／オフの情報が供給される。位置情報生成部６１は、入力されたジョイスティック２４０の操作角度情報に基づいて、制御対象カメラの位置を示す情報、すなわちパン／チルト／ズームの制御量を示す情報を生成し、生成した位置情報を後段の制御信号生成部６２に供給する。
【００７０】
制御信号生成部６２は、操作入力部１２０のジョイスティック２４０から入力される操作角度情報と、メモリ７０内に記録されたテーブルの情報に基づいて、カメラ制御コマンドを生成する。また、制御信号生成部６２は、操作ボタン部２１０から入力される操作ボタンのオン／オフの情報と、メモリ７０内に記録されたテーブルの情報に基づいて、メインユニット１１０内の各部を制御するための制御信号を生成する。
【００７１】
制御信号生成部６２は、上述した各テーブルを参照することにより求められる制御対象に対して、操作入力部１２０から入力される操作内容に基づく制御信号を生成して供給する。制御信号生成部６２で生成されたカメラ制御コマンドは、後段のシリアルＩ／Ｆ部６３に伝送され、シリアルＩ／Ｆ部６３によってシリアルの信号に変換される。シリアルの信号に変換されたカメラ制御コマンドは、シリアルドライバ８０を通して制御信号出力端子２ｃに出力され、制御信号出力端子を通して制御対象カメラに伝送される。つまり、制御信号出力端子２ｃは、カメラコントローラ機能モードである場合に、第２の操作部１４２及び第３の操作部１４３によってカメラＣ１〜Ｃ３の動作を制御する制御信号をカメラＣ１〜Ｃ３に出力する。
【００７２】
このように、映像信号処理装置１００は、ビデオスイッチャ機能とカメラコントローラ機能が一体化されており、互いの機能の通信は映像信号処理装置１００の内部で行われる。また、単純に各機能を一体化したのではなく、ビデオスイッチャ機能モード又はカメラコントローラモードを選択する際に、制御対象となるカメラを選択すれば、選択されたカメラに応じた出力映像が選択される。
【００７３】
従来のビデオスイッチャは、カメラコントロールを行った際に、スイッチャ機器の操作として、主出力もしくは準備出力に表示して実際にカメラコントロールを行う必要があった。しかし、本例の映像信号処理装置１００は、自動的に映像信号がＡＵＸ出力端子２ａから出力される。このため、ことから、ＰＧＭ出力映像とＮＥＸＴ出力映像に影響を及ぼさない。
【００７４】
図５は、メインユニット１１０における機能モードの切り替えを示す状態遷移図の例である。
この図では、メインユニット１１０がビデオスイッチャ機能モードとされた状態を第１の機能モード２６１とし、カメラコントローラモードとされた状態を第２の機能モード２６２とする。ビデオスイッチャ機能モードである場合に、第１のカメラモード切り替えボタン２１１ｃ又は第２のカメラモード切り替えボタン２１４ｃが押下されると、第２の機能モード２６２に切り替えられ、カメラコントローラモードとされる。一方、カメラコントローラモードである場合に、スイッチャモード切り替えボタン２１１ｓが押下されると、第１の機能モード２６１に切り替えられ、ビデオスイッチャ機能モードとされる。このように、切り替えボタンの押下操作がトリガー（きっかけ）となって、第１の機能モード２６１と第２の機能モード２６２が互いに切り替えられる。
【００７５】
図６は、切り替えられた機能モードの表示例を示す。
本例では、メインユニット１１０がビデオスイッチャ機能モードである状態としている。このとき、表示部２３０には、現在の機能モード（ビデオスイッチャ機能モード）が表示される。また、スイッチャモード切り替えボタン２１１ｓに内蔵されるＬＥＤが点灯する。このとき、第１のカメラモード切り替えボタン２１１ｃ又は第２のカメラモード切り替えボタン２１４ｃに内蔵されるＬＥＤは、共に消灯する。これにより、ユーザは、メインユニット１１０がビデオスイッチャ機能モードであることを知る。
【００７６】
一方、メインユニット１１０がカメラコントローラモードである場合、表示部２３０には、現在の機能モード（カメラコントローラモード）が表示される（不図示）。また、第１のカメラモード切り替えボタン２１１ｃ及び第２のカメラモード切り替えボタン２１４ｃに内蔵されるＬＥＤが点灯する（不図示）。このとき、スイッチャモード切り替えボタン２１１ｓに内蔵されるＬＥＤは、消灯する。これにより、ユーザは、メインユニット１１０がカメラコントローラモードに切り替えられたことを知る。
【００７７】
ここで、操作入力部１２０の具体的な構成例について、図７の斜視図と図８〜図１３の六面図を示す。図８〜図１３は、同縮尺である。
図７は、操作入力部１２０の斜視図を示す。
図８は、操作入力部１２０の平面図を示す。
図９は、操作入力部１２０の正面図を示す。
図１０は、操作入力部１２０の背面図を示す。
図１１は、操作入力部１２０の右側面図を示す。
図１２は、操作入力部１２０の左側面図を示す。
図１３は、操作入力部１２０の底面図を示す。
【００７８】
以上説明した本実施の形態によれば、一つの機器にビデオスイッチャ機能モードとカメラコントローラモードという二つの機能モードが併存する。そして、ジョイスティック２４０の機能は、カメラコントローラモードの場合にカメラコントロール（パン／チルト／ズーム）に使用し、ビデオスイッチャ機能モードの場合はＰｉｎＰの位置決めに使用する。このように、ユーザインターフェイスとして定評のあるジョイスティック２４０を採用したため、ユーザは直感的で分かりやすい操作が可能となる。
【００７９】
また、ビデオスイッチャ機能とカメラコントロール機能は、操作パネル１３０上に複数配置している切り替えボタンを操作することによって選択される。そして、第３の操作部１４３は、切り替えられた機能モードに応じて動作する。しかし、第１の操作部１４１には、常時ビデオスイッチャ機能が割り付けられる。すなわちＰＧＭ選択ボタン２１３ｐと、ＮＥＸＴ選択ボタン２１３ｎは、ビデオスイッチャ機能のみの動作しか行わない。そして、ＰＧＭ選択ボタン２１３ｐと、ＮＥＸＴ選択ボタン２１３ｎをカメラコントローラ機能に故意に割り付けないようにしている。これにより、カメラ操作とビデオスイッチャ操作を同時に行うことが可能となり、カメラ操作を行いながらオンエアされる映像信号を切り替えるというビデオスイッチャ操作を行うことが可能となる。
【００８０】
また、カメラコントローラモードに於いて、予め操作パネル１３０の入力番号と管理のために振られたカメラ番号をひも付けし、かつユーザが設定しておく。これにより、ＡＵＸ出力端子２ａから出力される映像信号に対し、連動又は非連動を選択できる。連動を選択した場合には、操作パネル１３０上の管理番号が押されると、その管理番号に対応したカメラ機器が操作可能となり、かつ、その管理番号に対応した入力ポートから入力した映像信号がＡＵＸ出力端子２ａから出力される。このため、カメラ操作とビデオスイッチャ操作が容易となるという効果がある。
【００８１】
また、各機能を一パッケージに収めたことによって、映像信号処理装置１００及び操作入力部１２０を省スペース化できるという効果がある。また、部品点数を抑えることができ、コストダウンを図ることができるという効果がある。
【００８２】
また、ジョイスティック２４０から近すぎずまた遠すぎない距離（３０ｍｍ〜１００ｍｍ）に第２のカメラモード切り替えボタン２１４ｃを配置した。これにより、操作パネル１３０に向かって左右に配置された切り替えボタンのいずれを用いても、ユーザは最短距離で機能モードを切り替えて目的の操作を行うことができる。
＜２．変形例＞
なお、上述した実施の形態では、ビデオスイッチャ機能モードからカメラコントローラモードに切り替える切り替えボタンを操作パネル１３０に２個設けたが、３個以上の切り替えボタンを操作パネル１３０に設けてもよい。
【００８３】
また、上述した実施の形態では、切り替えボタンとして、第１のカメラモード切り替えボタン２１１ｃ、スイッチャモード切り替えボタン２１１ｓを配置したが、１つの切り替えボタンを配置してもよい。この切り替えボタンとしては、論理的に常にどちらか一方が選択されるトグルスイッチを用いてもよい。このトグルスイッチを操作するユーザの両手の位置に合わせ、操作パネル１３０の上に複数個のトグルスイッチを配置すれば、ユーザの操作性が向上するという効果がある。
【００８４】
また、上述した実施の形態では、映像信号処理装置１００は、ビデオスイッチャ機能モードと、カメラコントローラモードという２つの状態を有しており、各状態は切り替えボタンの操作をトリガーとして互いに遷移する。しかし、予め映像信号処理装置１００を設定することにより、各状態の遷移を制限するようにしてもよい。すなわち、切り替えボタンを操作しても機能モードの切り替えを無効とする。これによって、映像信号処理装置１００をカメラコントロール専用機又はビデオスイッチャ専用機として使用することができる。
【図面の簡単な説明】
【００８５】
【図１】本発明の一実施の形態におけるシステムの構成例を示す概要図である。
【図２】本発明の一実施の形態における操作入力部の構成例を示す説明図である。
【図３】本発明の一実施の形態におけるジョイスティックの外部構成例を示す斜視図である。
【図４】本発明の一実施の形態における映像信号処理装置の内部構成例を示すブロック図である。
【図５】本発明の一実施の形態における映像信号処理装置の機能モードの切り替え例を示す状態遷移図である。
【図６】本発明の一実施の形態における切り替えられた機能モードの表示例を示す説明図である。
【図７】本発明の一実施の形態における操作入力部の斜視図である。
【図８】本発明の一実施の形態における操作入力部の平面図である。
【図９】本発明の一実施の形態における操作入力部の正面図である。
【図１０】本発明の一実施の形態における操作入力部の背面図である。
【図１１】本発明の一実施の形態における操作入力部の右側面図である。
【図１２】本発明の一実施の形態における操作入力部の左側面図である。
【図１３】本発明の一実施の形態における操作入力部の底面図である。
【符号の説明】
【００８６】
１ｃ…制御信号出力端子、１ｏ…入力映像端子、２ａ…ＡＵＸ出力端子、２ｄ…ＤＶＩ出力端子、１１…イコライザ、１２…シリアル・パラレル変換器、１３…フレームシンクロナイザ、１４…アンプ、１５…オプションカードＩ／Ｆ部、２０…入力クロスポイント部、３０…スイッチャ・エフェクト部、４０…出力クロスポイント部、５１ａ…パラレル・シリアル変換器、５１ｄ…Ｉ／Ｐ変換・リサイズ処理部、５１ｐ…パラレル・シリアル変換器、５２ａ，５２ｄ，５２ｐ…バッファ、６０…制御部、６１…位置情報生成部、６２…制御信号生成部、６３…シリアルＩ／Ｆ部、７０…メモリ、８０…シリアルドライバ、１００…映像信号処理装置、１１０…メインユニット、１２０…操作入力部、１３０…操作パネル、１４１…第１の操作部、１４２…第２の操作部、１４３…第３の操作部、２１０…操作ボタン部、２１１ｃ…第１のカメラモード切り替えボタン、２１１ｓ…スイッチャモード切り替えボタン、２１２…ＡＵＸ出力選択／カメラ選択ボタン、２１３ｎ…ＮＥＸＴ選択ボタン、２１３ｐ…ＰＧＭ選択ボタン、２１４ｃ…第２のカメラモード切り替えボタン、２２０…ツマミ部、２３０…表示部、２４０…ジョイスティック、２４１…レバー、２４２…ノブ、２４３…支点部、２５０…トランジションレバー、２６１…第１の機能モード、２６２…第２の機能モード、３００…表示装置、４００…プロジェクタ、５００…記録装置、Ｃ１〜Ｃ４…カメラ
【図１】
2010114523.tif 000003
【図２】
2010114523.tif 000004
【図３】
2010114523.tif 000005
【図４】
2010114523.tif 000006
【図５】
2010114523.tif 000007
【図６】
2010114523.tif 000008
【図７】
2010114523.tif 000009
【図８】
2010114523.tif 000010
【図９】
2010114523.tif 000011
【図１０】
2010114523.tif 000012
【図１１】
2010114523.tif 000013
【図１２】
2010114523.tif 000014
【図１３】
2010114523.tif 000015
【手続補正書】
【提出日】平成21年11月11日(2009.11.11)
【手続補正１】
【補正対象書類名】明細書
【補正対象項目名】００５１
【補正方法】変更
【補正の内容】
【００５１】
次に、図３を参照して、ジョイスティック２４０の外部構成例について説明する。
操作パネル１３０に平行なｘｙ平面を仮定した場合、ジョイスティック２４０は、ｘｙ平面に対して所定の角度で傾けることで任意の方向に移動等の指示を与えるレバー２４１と、回転することでカメラＣ１〜Ｃ３のズーム等の制御を行えるノブ２４２を備える。また、ジョイスティック２４０は、レバー２４１と操作パネル１３０を接続し、レバー２４１の支点となる支点部２４３を備える。ノブ２４２は、回転角に応じた制御信号を発し、制御部６０は制御信号を読み取ることによって選択されたカメラのズーム制御を行う。回転の方向とズーム方向の対応関係は、予めユーザが不図示の設定メニューを操作することによって設定できる。
【手続補正２】
【補正対象書類名】明細書
【補正対象項目名】００５７
【補正方法】変更
【補正の内容】
【００５７】
オプションカードＩ／Ｆ部１５は、オプションカードが挿入されるＩ／Ｆである。オプションカードとは、工場出荷時には装着されていないカードであり、標準装備されていない機能を追加装備するためのカードである。オプションカードとしては、アナログ映像信号入力端子を備えたカードや、ＤＶＩ入力端子を備えたカード、ＨＤ／ＳＤ−ＳＤＩ入力端子を備えたカード等の様々なカードが用意されている。本実施の形態によるメインユニ
ット１１０では、オプションカードＩ／Ｆ部１５に、これらのカードのうち任意の２枚までのカードを接続することができるようにしてある。このため、オプションカード上には複数の映像信号端子が複数存在することになるが、図４においては、説明を簡単にするため、これらの端子を入力映像端子１ｏとして示している。